(57)【要約】【課題】  視力矯正用の度付きレンズを内側に装着でき、しかも、サングラスレンズを跳ね上げた状態で良好な視野を確保することもできるインナー枠付き跳ね上げ式サングラスを提供すること。【解決手段】  両側にテンプルＴ・Ｔを備えたフロント枠１と；このフロント枠１の前側にヒンジ連結され、かつ、サングラスレンズＳを装着可能な前掛け枠２と；前記フロント枠１の後側に着脱自在に取着され、かつ、左右のレンズＬ・Ｌを装着可能なインナー枠３とを含んで跳ね上げ式サングラスを構成し、更に前記フロント枠１の上縁部には、後側に突き出した庇状の形状を成し、かつ、少なくとも装着したインナー枠３を覆う出幅を有する突縁部13を左右に亙って形成すると共に、この突縁部13に枢支部13aを配設して、当該枢支部13aに前掛け枠２のヒンジアーム21をサングラスレンズＳを前方に持ち出した状態で取着した。【選択図】  図１
0003173036.tif 000002
【実用新案登録請求の範囲】
【請求項１】
両側にテンプル(Ｔ)・(Ｔ)を備えたフロント枠(１)と；このフロント枠(１)の前側にヒンジ連結され、かつ、サングラスレンズ(Ｓ)を装着可能な前掛け枠(２)と；前記フロント枠(１)の後側に着脱自在に取着され、かつ、左右にレンズ(Ｌ)・(Ｌ)を装着可能なインナー枠(３)とを少なくとも含んで成り、
更に前記フロント枠(１)の上縁部には、後側に突き出した庇状の形状を成し、かつ、少なくとも装着したインナー枠(３)を覆う出幅を有する突縁部(13)が左右に亙って形成されると共に、この突縁部(13)には枢支部(13a)が配設されて、当該枢支部(13a)に前掛け枠(２)のヒンジアーム(21)がサングラスレンズ(Ｓ)を前方に持ち出した状態で取着されていることを特徴とするインナー枠付き跳ね上げ式サングラス。
【請求項２】
フロント枠(１)をフルリム型の形状とし、更にフロント枠(１)の下縁部にも突縁部(13)を形成したことを特徴とする請求項１記載のインナー枠付き跳ね上げ式サングラス。
【考案の詳細な説明】
【技術分野】
【０００１】
本考案は、跳ね上げ式サングラスの改良、詳しくは、視力矯正用の度付きレンズを内側に装着することができ、また、普段掛けている矯正用眼鏡の上から重ね掛けすることも可能で、しかも、サングラスレンズを跳ね上げた際に良好な視野を確保できるインナー枠付き跳ね上げ式サングラスに関するものである。
【背景技術】
【０００２】
周知のとおり、登山や釣り等のアウトドアスポーツでは、直射日光や反射光の眩しさを軽減するためにサングラスを着用することが多く、その中でも特に手元での作業や色の確認が必要なスポーツでは、サングラスレンズなしでの視認も簡単に行えるように跳ね上げ式のサングラスが好んで使用される。
【０００３】
しかし、一般的なスポーツ用サングラスは、重ね掛けすることを想定していないことから、強引に視力矯正用の眼鏡の上からサングラスを装着すると、スポーツ時のちょっとした動作でフレームとレンズがぶつかって傷が付いたり、ぶつかったショックでサングラスが外れて地面に落ちたりすることがあった。
【０００４】
そこで、従来においては、サングラスレンズの内側に、度付きレンズを装着したインナー枠を取り付ける技術が提案されたが(特許文献１,２参照)、これらのサングラスでは、サングラスレンズとインナー枠の隙間に雨が入ってレンズが濡れたり、砂埃等が入ってレンズが汚れたりする欠点があった。
【０００５】
しかも、上記のように度付きレンズが濡れたり汚れたりすると、その都度サングラスレンズを跳ね上げて度付きレンズを拭かなければならなかったため、悪天候時において非常に使い勝手が悪かった。また、上記サングラスでは重ね掛けが行えないため、目が慣れた常用の眼鏡を使用できない不満もあった。
【０００６】
そして更に、上記従来の跳ね上げ式サングラスでは、サングラスレンズがフロント枠の前面に近い位置にヒンジ連結されていたため、サングラスレンズをフロント枠に対し90°前後跳ね上げたときに、サングラスレンズが上方の視界を遮って視野を必要以上に狭めてしまう難点もあった。
【０００７】
一方、従来においては、花粉症対策や防塵対策を目的として眼鏡枠と顔面との隙間をなくすフードを設けた眼鏡も公知となっているが(特許文献３参照)、このようなフード付きの構造を跳ね上げ式サングラスに応用する場合でも、上記視界の問題については他の解決策を講じる必要があった。
【先行技術文献】
【特許文献】
【０００８】
【特許文献１】特開平９−２３０２８９号公報
【特許文献２】特開２００５−３４５８８０号公報
【特許文献３】特開２００４−５４０６８号公報
【考案の開示】
【考案が解決しようとする課題】
【０００９】
本考案は、上記の如き問題に鑑みて為されたものであり、その目的とするところは、視力矯正用の度付きレンズを内側に装着できるだけでなく、普段掛けている矯正用眼鏡の上から重ね掛けすることも可能で、しかも、サングラスレンズを跳ね上げた状態で良好な視野を確保することもできるインナー枠付き跳ね上げ式サングラスを提供することにある。
【課題を解決するための手段】
【００１０】
本考案者が上記課題を解決するために採用した手段を添付図面を参照して説明すれば次のとおりである。
【００１１】
即ち、本考案は、両側にテンプルＴ・Ｔを備えたフロント枠１と；このフロント枠１の前側にヒンジ連結され、かつ、サングラスレンズＳを装着可能な前掛け枠２と；前記フロント枠１の後側に着脱自在に取着され、かつ、左右のレンズＬ・Ｌを装着可能なインナー枠３とを含んで跳ね上げ式サングラスを構成し、
更に前記フロント枠１の上縁部には、後側に突き出した庇状の形状を成し、かつ、少なくとも装着したインナー枠３を覆う出幅を有する突縁部13を左右に亙って形成すると共に、この突縁部13に枢支部13aを配設して、当該枢支部13aに前掛け枠２のヒンジアーム21をサングラスレンズＳを前方に持ち出した状態で取着した点に特徴がある。
【００１２】
また、上記フロント枠１については、フルリム型の形状として下縁部にも突縁部13を形成することにより、フロント枠１の下側から砂埃等が入ってレンズが汚れないないようにすることもできる。
【考案の効果】
【００１３】
本考案では、左右テンプルを備えたフロント枠の前側にサングラスレンズを跳ね上げ式に取着すると共に、フロント枠の後側には、度付きレンズを装着したインナー枠を取付け可能としたことにより、サングラスレンズと度付きレンズを併用することできるため、視力が悪い場合でも重ね掛けすることなくサングラスを着用することができる。
【００１４】
しかも、本考案では、上記インナー枠をフロント枠に対して着脱自在としているため、インナー枠を取り外した状態で普段掛けている眼鏡の上からサングラスを重ね掛けすることもできる。また、その際には、フロント枠の上縁部に後側に突き出して設けた突縁部によって、フロント枠と額との間に一定の距離が保持することができるため、フレームとレンズがぶつかって傷付くような心配もない。
【００１５】
そして、上記フロント枠に突縁部を設けたことによって、フロント枠と額の間から入り込む雨や砂埃を遮蔽することも可能となるため、悪天候時にサングラスを使用した場合でもインナー枠の度付きレンズに濡れや汚れが生じ難くなる。
【００１６】
また本考案では、上記フロント枠の突縁部の前後中央に枢支部を配設して、この枢支部にサングラスレンズを前方に持ち出した状態で連結したことにより、サングラスレンズを跳ね上げた際、前方に持ち出した分だけサングラスレンズを上側に配置することができるため、視野を拡げることも可能となる。
【００１７】
したがって、本考案により、従来にあったスポーツ用サングラスと矯正用眼鏡の重ね掛けの問題を解消することができ、更に屋外での使い勝手にも優れ、良好な視界を確保することもできるインナー枠付きの跳ね上げ式サングラスを提供できることから、本考案の実用的利用価値は頗る高い。
【図面の簡単な説明】
【００１８】
【図１】本考案の実施例１におけるサングラスを表わす分解斜視図である。
【図２】本考案の実施例１におけるサングラスを表わす全体斜視図である。
【図３】本考案の実施例１におけるサングラスを表わす平面図及び底面図である。
【図４】本考案の実施例１におけるサングラスレンズの取着構造を表わす断面図である。
【図５】本考案の実施例１におけるサングラスのサングラスレンズを降ろした状態と跳ね上げた状態とを表わす状態説明図である。
【考案を実施するための形態】
【００１９】
『実施例１』
本考案の実施例１について、図１〜図５に基いて説明する。同図において、符号１で指示するものは、フロント枠であり、符号２で指示するものは、前掛け枠である。また、符号３で指示するものは、インナー枠である。
【００２０】
まず実施例１では、テンプルＴ・Ｔを両側に備えたフロント枠１の前側中央部に、サングラスレンズＳが装着された前掛け枠２をヒンジ連結すると共に、フロント枠１の背面側には、左右レンズＬ・Ｌが装着されたインナー枠３を着脱可能に取り付けて眼鏡フレームＦを構成している(図１、図２参照)。
【００２１】
また、上記フロント枠１については、インナー枠２のレンズＬ・Ｌが内側に収まる大きさのリム11・11を中央のブリッジ12で繋いだフルリム型の形状としている。そして、このフロント枠１の上下縁部には、図３(a)及び(b)に示すように、後側に突き出した庇状の形状の突縁部13をインナー枠３を覆う出幅で左右に亙って形成している。
【００２２】
なお本実施例では、上記サングラスレンズＳに一眼レンズを使用すると共に、このサングラスレンズＳの上部中央を逆三角形型の前掛け枠２に固定している。また、サングラスレンズＳは、図４に示すように前掛け枠２の挿入溝に差し込んだ後、後側からネジ部材を差し込んで固定することにより着脱自在に取着している。
【００２３】
また、上記フロント枠１と前掛け枠２の連結に関しては、フロント枠１の突縁部13に枢支部13aを設けると共に、この枢支部13aに対して前掛け枠２の背面に突設したヒンジアーム21・21を回動自在に取着している。そして、眼前に降ろしたサングラスレンズＳは、ヒンジアーム21の長さの分だけヒンジ軸から前方に持ち出された状態となっている。
【００２４】
他方、上記インナー枠３については、中央のブリッジ31をフロント枠１に取着すると共に、その両側のリム32・32に左右レンズＬ・Ｌを装着している。ちなみに、本実施例では、インナー枠３のリム32・32をハーフリム型として、レンズＬ・ＬをバンドＢ・Ｂで固定している。
【００２５】
また、上記フロント枠１とインナー枠３の連結に関しては、フロント枠１のブリッジ12背面に設けた横方向の嵌合溝12aにインナー枠３のブリッジ31を嵌め込んだ状態で突起部31aを細溝Ｄに嵌め合わせて着脱自在に固定している。なお、連結手段としては、着脱可能なものであればフック型の係止構造やネジ留め構造なども採用できる。
【００２６】
そして、上記の前掛け枠２とインナー枠３に、サングラスレンズＳと視力矯正用の度付きレンズＬ・Ｌを装着することによって、矯正用眼鏡とサングラスを重ね掛けする必要がなくなるため、アウトドアスポーツ等において視力の悪い人でも使い勝手の良いサングラスを提供できる。
【００２７】
また一方で、上記フロント枠１からインナー枠３を取り外した場合でも、フロント枠１の突縁部13によって眼鏡と顔面との間に一定のスペースを保持されるため、普段掛けている矯正用眼鏡を付けた状態でフロント枠１を重ね掛けすることができ、従来のようにフレームとレンズがぶつかって傷が付く心配はない。
【００２８】
また、フロント枠１の上縁部に設けた突縁部13によって、雨や砂埃の侵入を遮断することも可能となるため、度付きレンズＬ・Ｌが濡れたり汚れたりする心配もない。そして本実施例では、下縁部にも突縁部13を形成しているため、下側からの砂埃等の侵入も防止できる。
【００２９】
また更に、サングラスレンズＳを、図５(a)に示すように前掛け枠２のヒンジアーム21によってヒンジ軸Ｈから前方に持ち出して構成したことにより、図５(b)のようにサングラスレンズＳを跳ね上げた際、ヒンジアーム21の長さ分だけサングラスレンズＳを上側に持ち上げることができるため、上方の視野を広げることができる。
【００３０】
本考案は、概ね上記のように構成されるが、本考案は図示の実施形態に限定されるものでは決してなく、「実用新案登録請求の範囲」の記載内において種々の変更が可能であって、例えば、フロント枠１や前掛け枠２、インナー枠３の材質には、樹脂材料や金属材料だけでなく、鼈甲や木材料などを必要に応じて選択することができる。
【００３１】
また、フロント枠１に関しても、特にフルリム型の形態に限らず、ハーフリム型やブローバー型の形態も採用できる。そしてまた、前掛け枠２に装着するサングラスレンズＳについても、一眼レンズでなく左右レンズを用いてもよく、その場合には前掛け枠２をフルリム型やハーフリム型の形態とすることができる。
【００３２】
また更に、フロント枠１と前掛け枠２の連結方法に関しても、中央一点のヒンジ連結だけでなく左右二点でヒンジ連結することも可能である。そして、フロント枠１とインナー枠３の連結についても、インナー枠３の連結部位をブリッジでなく左右両端とすることもでき、何れのものも本考案の技術的範囲に属する。
【産業上の利用可能性】
【００３３】
近年、跳ね上げ式サングラスは、釣りや登山などのアウトドアスポーツを趣味とする人々から人気を集めるアウトドア用品となっており、使用者からはより使い勝手の良いサングラスが求められている。また、サングラスは、ファッションアイテムとての役割も大きいため、デザインと機能性の両立も重要となる。
【００３４】
そのような中で、本考案のインナー枠付きサングラスは、視力の悪い人がコンタクトレンズを使用せずとも不具合なくサングラスを装着することができ、かつ、サングラスのデザインが損なわれることもない有用な技術であることから、その産業上の利用価値は非常に高い。
【符号の説明】
【００３５】
１  フロント枠
11  リム
12  ブリッジ
12a  嵌合溝
13  突縁部
13a  枢支部
２  前掛け枠
21  ヒンジアーム
３  インナー枠
31  ブリッジ
31a  突起部
32  リム
Ｔ  テンプル
Ｓ  サングラスレンズ
Ｌ  レンズ
Ｆ  眼鏡フレーム
Ｂ  バンド
Ｄ  細溝
Ｈ  ヒンジ軸
【図１】
0003173036.tif 000003
【図２】
0003173036.tif 000004
【図３】
0003173036.tif 000005
【図４】
0003173036.tif 000006
【図５】
0003173036.tif 000007